(57)【特許請求の範囲】
【請求項１】
被清掃面を拭き清掃するシート状の清掃体と、
前記清掃体に取り付けられてこの清掃体を着脱自在に保持する保持部と、
作業者によって把持される長尺状の把持部と、
前記保持部と前記把持部との間に介在してこれら保持部及び把持部を固定状に連結する連結部と、
前記被清掃面に向けて洗浄液を供給する供給ノズルを有するとともに、前記把持部に取り付けられる洗浄液供給部と、
を備え、
前記把持部の長尺方向の延在線と前記清掃体のシート平面に関する法線とが所定の交差角度をもって交差するように構成され、
前記洗浄液供給部は、当該洗浄液供給部の外郭を形成する長尺状のハウジングを備え、前記長尺状のハウジングは、前記把持部に対し着脱自在とされ、前記把持部に取り付けられることでこの把持部に補助的に付加される補助把持部として構成され、作業者による清掃作業に際し、前記把持部に装着された前記長尺状のハウジングを補助把持部として作業者が把持して使用する第１の使用モードと、前記長尺状のハウジングが分離された前記把持部を作業者が把持して使用する第２の使用モードと、に設定可能とされた構成であることを特徴とする清掃用具。
【請求項２】
請求項１に記載の清掃用具であって、
前記洗浄液供給部は、前記把持部の下方であって前記連結部の後方に前記供給ノズルが位置するように構成されていることを特徴とする清掃用具。
【請求項３】
請求項１または２に記載の清掃用具であって、
前記洗浄液供給部は、前記供給ノズルから前記清掃体の下方領域に向けて前斜め下方へと洗浄液を供給する構成であることを特徴とする清掃用具。
【請求項４】
請求項３に記載の清掃用具であって、
前記洗浄液供給部は、前記供給ノズルの向きが前記連結部の延在方向と合致する構成であることを特徴とする清掃用具。
【請求項５】
請求項１〜４のいずれかに記載の清掃用具であって、
前記洗浄液供給部は、作業者による操作部の手動操作によって洗浄液を加圧し、加圧状態の洗浄液を前記供給ノズルへと吐出するポンプ機構を用いて構成されることを特徴とする清掃用具。
【請求項６】
請求項５に記載の清掃用具であって、
前記ポンプ機構は、前記操作部の一回の手動操作によって所定量の洗浄液を前記供給ノズルへと吐出する構成であることを特徴とする清掃用具。
【請求項７】
請求項１〜６のいずれかに記載の清掃用具であって、
前記洗浄液供給部は、前記供給ノズルから前記被清掃面に向けて供給する洗浄液の供給態様を可変とする可変機構を備える構成であることを特徴とする清掃用具。
【請求項８】
請求項１〜７のいずれかに記載の清掃用具であって、
前記洗浄液供給部は、当該洗浄液供給部の外郭を形成するハウジングと、前記洗浄液を貯留する貯留タンクを備え、これらハウジング及び貯留タンクがアセンブリとして一体状に構成されることを特徴とする清掃用具。
【請求項９】
請求項８に記載の清掃用具であって、
前記洗浄液供給部は、前記ハウジングの外周部分と前記貯留タンクの外周部分とが面的に連続するように構成されることを特徴とする清掃用具。
【請求項１０】
請求項８または９に記載の清掃用具であって、
前記洗浄液供給部は、前記ハウジングの断面形状と前記貯留タンクの断面形状とが合致するように構成されることを特徴とする清掃用具。
【請求項１１】
請求項８〜１０のいずれかに記載の清掃用具であって、
前記洗浄液供給部は、前記ハウジングの外表面と前記貯留タンクの外表面とが同系色とされた構成であることを特徴とする清掃用具。
【請求項１２】
請求項１〜１１のいずれかに記載の清掃用具であって、
前記把持部は、当該把持部の長尺方向に沿って形成される二つの係止部を備える一方、前記長尺状のハウジングは、当該ハウジングの長尺方向に配設されて前記各係止部に係止が可能とされた二つの係止フックを備え、これら二つの係止フックを前記各係止部に係止することで、前記長尺状のハウジングが前記把持部に装着された状態が形成される構成であることを特徴とする清掃用具。
【請求項１３】
請求項１２に記載の清掃用具であって、
前記二つの係止部のうちの一方の係止部に係止される第１の係止フックと、他方の係止部に係止される第２の係止フックを備え、
前記他方の係止部における前記第２の係止フックの係止解除の状態で前記一方の係止部に前記第１の係止フックを係止させたのち、当該係止状態を維持しつつ前記第２の係止フックが前記他方の係止部に近接する方向に前記長尺状のハウジングを回動させ、この回動動作によって前記第２の係止フックが前記他方の係止部に係止される構成であることを特徴とする清掃用具。
【請求項１４】
請求項１３に記載の清掃用具であって、
前記一方の係止部は、前記把持部の長尺方向に沿って長手状に形成される長穴として構成され、前記第１の係止フックは、その先端が前記長穴の長手方向に沿って突出する構成であり、当該第１の係止フックを前記長穴の長手方向に相対移動させ、この相対移動動作によって当該第１の係止フックが前記長穴に係止される構成であることを特徴とする清掃用具。
【請求項１５】
請求項１４に記載の清掃用具であって、
前記一方の係止部としての前記長穴は、一端側の縁部にて前記第１の係止フックを係止するとともに、更に他端側の縁部にて前記第２の係止フックを係止する構成であることを特徴とする清掃用具。
【請求項１６】
請求項１〜１５のいずれかに記載の清掃用具であって、
前記連結部は曲線状に形成されており、
前記長尺状のハウジングは、前記供給ノズル側が最低所となるとともに前記連結部の形状に倣った曲線状となるように構成されていることを特徴とする清掃用具。
【請求項１７】
請求項１〜１６のいずれかに記載の清掃用具であって、
前記保持部、把持部及び連結部は、いずれも樹脂成型によって構成されていることを特徴とする清掃用具。
【請求項１８】
請求項１〜１７のいずれかに記載の清掃用具であって、
前記保持部、把持部及び連結部が一体成型された構成であることを特徴とする清掃用具。
【発明の詳細な説明】
【技術分野】
【０００１】
本発明は、清掃用具に係り、詳しくは室内や車内の被清掃部を拭き清掃するためのシート状の清掃体を備える清掃用具の構築技術に関するものである。
【背景技術】
【０００２】
従来、被清掃面の拭き清掃を行うシート状の清掃体を備える清掃用具が種々提案されている。例えば、下記特許文献１には、清掃フレームの底部に剤透過底部を備え、この剤透過底部に清掃シートを巻き付ける構成の清掃用具が開示されている。この清掃用具では、清掃用剤を剤透過底部の上方から散布して、清掃作業中において清掃シートを湿潤状態として拭き清掃を行うことによって、乾燥状態の清掃シートでは除去しにくい床面付着の汚れを拭き取る可能性を有するが、シート状の清掃体を備えるこの種の清掃用具の設計に際しては、更なる清掃効果向上を図る技術に対する要請がある。
【特許文献１】特開２００４−２４２７９９号公報
【発明の開示】
【発明が解決しようとする課題】
【０００３】
そこで、本発明は、かかる点に鑑みてなされたものであり、被清掃面の拭き清掃を行うシート状の清掃体を備える清掃用具において、清掃効果向上を図るのに有効な技術を提供することを課題とする。
【課題を解決するための手段】
【０００４】
上記課題を達成するため、各請求項記載の発明が構成される。これら各請求項に記載の発明は、一戸建て、マンション、ビル、工場、車両等の屋内や屋外における被清掃面（床面、壁面、天井面、外壁面、家具面、衣類、カーテン、寝具など）や、人体の各構成部位における被清掃面等をシート状の清掃体によって拭き清掃する清掃用具の構成に適用され得る。
【０００５】
本発明にかかる清掃用具は、清掃体、保持部、把持部、連結部、洗浄液供給部を少なくとも備える。
【０００６】
本発明の清掃体は、被清掃面を拭き清掃するシート状の清掃体として構成される。ここでいう「シート状の清掃体」とは、保持部に取り付けた状態或いは取り外した状態において板状とされ、その板厚に比して縦寸法及び横寸法が相当に大きい形状ものを広く含む主旨である。この清掃体の表面は、平面として構成されてもよいし、或いは曲面、凹凸面、段差面として構成されてもよい。この清掃体は、一回使用を目安とした使い捨てタイプのものであってもよいし、或いは洗濯などを行ったうえで繰り返し使用することが可能なタイプのものであってもよい。この清掃体は、典型的には合成樹脂製の不織布、この不織布の積層体、或いは発泡樹脂材料などによって構成される。一方、被清掃面については、平面として構成されてもよいし、或いは曲面、凹凸面、段差面として構成されてもよい。
【０００７】
本発明の保持部は、清掃体に取り付けられてこの清掃体を着脱自在に保持する機能を有する部位として構成される。これにより、清掃体の汚れ具体に応じてこの清掃体を適宜保持体から取り外して新たな清掃体に交換することが可能となる。
【０００８】
本発明の把持部は、作業者によって把持される長尺状の部位として構成される。作業者は、この把持部を手で掴んで清掃体による拭き作業を行うことが可能となる。
なお、好ましくは、清掃体を長方形状に構成するとともに、長尺状の把持部は、その長尺方向線上に長方形状の清掃体の長辺が延在するように構成する。このような構成によれば、作業者による拭き清掃効率が向上し易い。
【０００９】
本発明の連結部は、保持部と把持部との間に介在してこれら保持部及び把持部を固定状に連結する機能を有する部位として構成される。すなわち、保持部と連結部が固定状に連結され、且つ把持部と連結部が固定状に連結され、全体として保持部、連結部、把持部の三者が一体固定状に構成されることとなる。この場合、保持部、連結部及び把持部のうちの複数を一体成型とする構成であってもよいし、或いは保持部、連結部及び把持部の各々を独立して成型されたものを固定状に組み付ける構成であってもよい。なお、本発明において「固定状」とは、清掃用具の少なくとも使用時において一体的な固定状態或いは保持状態を形成すれば足り、保持部と連結部との間の連接箇所や、把持部と連結部との間の連接箇所での相対移動が不能とされた構造以外に、これらの連接箇所での相対移動が一時的に可能とされた可動構造をも広く包含する。この可動構造に関し、具体的には保持部と連結部との間の連接箇所や、把持部と連結部との間の連接箇所にヒンジ機構及び固定機構を設け、清掃用具の使用前後においては、保持部と連結部との間の角度や、把持部と連結部との間の角度がヒンジ機構によって一旦調節可能とされ、清掃用具の使用時においては、当該角度が固定機構によって所定の角度に固定可能或いは保持可能とされる構成を採用することができる。
【００１０】
本発明の洗浄液供給部は、被清掃面に向けて洗浄液を供給する供給ノズルを有するとともに、把持部に取り付けられる部位として構成される。ここでいう「洗浄液」には、汚れを除去する清掃作業を可能とする液体を広く含み、典型的には床面洗浄用の洗剤、つや出しワックスを含む洗剤、芳香剤を含む洗浄液、消臭剤を含む洗浄液のほか、これら各液を水で希釈したもの、或いは水自体を、洗浄液として用いることができる。また、「洗浄液の供給」に関しては、洗浄液を清掃体を介さずに直接に被清掃面に向けて供給する構成であるならば、洗浄液を噴射状或いは噴霧状に噴き付ける供給態様、洗浄液を滴下する供給態様などを用いることができる。また、本発明において、この洗浄液供給部は、保持部、把持部及び連結部のうちのいずれかに取り付けられるものであってもよいし、或いは保持部、把持部及び連結部のうちの複数に延在して取り付けられるものであってもよい。この洗浄液を供給した状態の被清掃面を清掃体で一度拭き取る作業をすることによって、その後、当該清掃体は、シート表面が湿潤状態とされたウェットタイプの清掃体として使用され得る。勿論、被清掃面にこの洗浄液を供給しない状態で清掃体を用いる場合には、シート表面が常時乾き状態とされたドライタイプの清掃体として使用することもできる。
【００１１】
なお、この洗浄液供給部の具体的な構成に関しては、ポンプ機構によって洗浄液を加圧して加圧状態の洗浄液を供給ノズルへと吐出する構成、ガス圧を利用して加圧状態の洗浄液を供給ノズルへと供給するいわゆる「エアゾール」式の構成、洗浄液をその自重によって供給ノズルから滴下させる構成、洗浄液供給部の外部の洗浄液供給元にて加圧された洗浄液を供給ノズルへと供給する構成などを適宜採用することができる。また、洗浄液供給部は、洗浄液を貯留する領域及びこの洗浄液が流通する経路を備える構成であってもよいし、或いは洗浄液供給部の外部の洗浄液供給元から供給された洗浄液が流通する領域のみを備える構成であってもよい。
【００１２】
また、本発明では、把持部の長尺方向の延在線と清掃体のシート平面に関する法線とが所定の交差角度をもって交差する構成とされる。本構成、及び前述の保持部、連結部、把持部の三者を一体固定状とする構成とによって、本発明の清掃用具は、把持部から連結部を介して保持部までの長さが所定の範囲に限られ作業者が片方の手で保持しつつ清掃作業が可能な、いわゆる「ハンディ型」の清掃用具として特定される。
【００１３】
清掃用具のこのような構成によれば、洗浄液供給部の供給ノズルから被清掃面に向けて洗浄液を供給したうえで、この洗浄液供給部分を清掃体を介して拭き取ることによって、ドライタイプの清掃体では拭き取ることが難しかった、こびりついた汚れや砂埃などを容易に拭き取ることが可能となる。特に、本発明では、被清掃面に直に洗浄液を供給する構成であり、洗浄液自体が持つ洗浄効果を最大限に引き出して使用することができるため、被清掃面ではなく清掃体自体に洗浄液を供給するような構成の清掃用具に比して、清掃効果向上を図るうえで有利である。
【００１４】
前記洗浄液供給部は、当該洗浄液供給部の外郭を形成する長尺状のハウジングを備え、前記長尺状のハウジングは、前記把持部に対し着脱自在とされ、前記把持部に取り付けられることでこの把持部に補助的に付加される補助把持部として構成され、作業者による清掃作業に際し、前記把持部に装着された前記長尺状のハウジングを補助把持部として作業者が把持して使用する第１の使用モードと、前記長尺状のハウジングが分離された前記把持部を作業者が把持して使用する第２の使用モードと、に設定可能とされた構成とされる。
【００１５】
更なる形態の清掃用具では、前記の清掃用具における洗浄液供給部は、把持部の下方であって連結部の後方に供給ノズルが位置するように構成される。
清掃用具のこのような構成によれば、供給ノズルから被清掃面へと洗浄液を供給するに際し、当該供給が長尺状の把持部や連結部によって阻害されにくく、また作業者は洗浄液の供給部分を後方から確認し易いため、洗浄液の供給操作を円滑に遂行することが可能となる。
【００１６】
更なる形態の清掃用具では、前記の清掃用具における洗浄液供給部は、供給ノズルから清掃体の下方領域に向けて前斜め下方へと洗浄液を供給する構成とされる。
清掃用具のこのような構成によれば、供給ノズルから洗浄液を供給したのち、そのまま清掃体を下方へと移動させて拭き清掃操作を行うことができるため、洗浄液供給操作から洗浄液供給後における清掃体の拭き清掃操作までの一連の作業の円滑化を図ることが可能となる。
【００１７】
更なる形態の清掃用具では、前記の清掃用具における洗浄液供給部は、供給ノズルの向きが連結部の延在方向と合致する構成とされる。なお、連結部の延在方向とは、連結部が把持部から保持部へと向けて延在する方向であり、連結部が曲線状である場合には、当該連結部での所定位置での接線を当該連結部の延在方向として規定することができる。
清掃用具のこのような構成によれば、供給ノズルの向きを連結部の延在方向と合致させることによって、被清掃面に対する洗浄液供給操作、及び清掃体による拭き清掃操作がやり易い構造が実現される。
【００１８】
更なる形態の清掃用具では、前記の清掃用具における洗浄液供給部は、作業者による操作部の手動操作によって洗浄液を加圧し、加圧状態の洗浄液を供給ノズルへと吐出するポンプ機構を用いて構成される。このポンプ機構に関しては、作業者による操作部の手動操作における押圧力を用いて駆動される機械式ものや、作業者による操作部の手動操作に連動して作動する電動モータの駆動力によって駆動される電動式のものを適宜採用することができる。また、操作部の手動操作に関しては、押圧ボタン式に構成された操作部を押圧操作或いは引き操作する態様、スライドスイッチ式に構成された操作部をスライド操作する態様などが挙げられる。
清掃用具のこのような構成によれば、洗浄液を供給ノズルへと供給する手段としてポンプ機構を用いることが可能となる。
【００１９】
更なる形態の清掃用具では、前記の清掃用具におけるポンプ機構は、操作部の一回の手動操作によって所定量の洗浄液を供給ノズルへと吐出する構成とされる。
清掃用具のこのような構成によれば、作業者は操作部の一回の手動操作によって所定量の洗浄液を供給ノズルから被清掃面へと供給することが可能となる。なお、操作部の一回の手動操作あたりの洗浄液吐出量の設定に関しては、被清掃面への洗浄液供給量の微調整が可能となるように最小限度の吐出量とするのが好ましい。このような構成によれば、所望量の洗浄液が被清掃面に供給されるまで手動操作を繰り返すことで、洗浄液が必要以上に被清掃面に供給されるのを防止することができる。
【００２０】
更なる形態の清掃用具では、前記の清掃用具における洗浄液供給部は、更に可変機構を備える構成とされる。この可変機構は、供給ノズルから被清掃面に向けて供給する洗浄液の供給態様を可変とする機能を有する。ここでいう「洗浄液の供給態様」としては、洗浄液の供給量、供給範囲（角度）、供給距離、供給面積などが挙げられ、例えば洗浄液が供給ノズルから噴射される構成にあっては、洗浄液の噴射量、噴射範囲（角度）、噴射距離、噴射面積などが、ここでいう洗浄液の供給態様に相当する。可変機能の具体的な構成に関しては、スイッチ等の切り換えによって供給ノズル内部の絞り孔の断面積が変更され、これによって洗浄液の供給態様を変えるような構成を採用することができる。
このような構成によれば、可変機構を用いることにより、被清掃面の汚れ度合い等の状況に応じて洗浄液の供給態様を変更することができ、使い勝手のよい清掃用具を提供することが可能となる。
【００２１】
更なる形態の清掃用具では、前記の清掃用具における洗浄液供給部は、当該洗浄液供給部の外郭を形成するハウジングと、洗浄液を貯留する貯留タンクを備え、これらハウジング及び貯留タンクがアセンブリとして一体状に構成される。この貯留タンクは、ハウジングに専用として設けられ洗浄液がタンク内に都度補充されるタイプのタンクとして構成されてもよいし、或いはタンクがハウジングに着脱自在に取り付けられる構成としておき、洗浄液が無くなったとき貯留タンクごと新たな貯留タンクに交換が可能なカートリッジ式のタンクとして構成されてもよい。このカートリッジ式のタンクの具体的な構成としては、硬質樹脂によって成型された貯留容器のほか、パウチシート材料などによって形成されたパウチタイプのボトル、更には洗浄液の貯留残量を視認可能な透明或いは半透明の樹脂材料によって形成された貯留容器などが挙げられる。
このような構成によれば、洗浄液供給部の外郭を形成するハウジングと、洗浄液を貯留する貯留タンクが一体状に構成された清掃用具を提供することが可能となる。
【００２２】
更なる形態の清掃用具では、前記の清掃用具における洗浄液供給部は、ハウジングの外周部分と貯留タンクの外周部分とが面的に連続するように構成されている。
清掃用具のこのような構成によれば、ハウジングの外周部分から貯留タンクの外周部分にわたって面的に連続した形状によって、ハウジングと貯留タンクとの一体感が高まる。
【００２３】
更なる形態の清掃用具では、前記の清掃用具における洗浄液供給部は、ハウジングの断面形状と貯留タンクの断面形状とが合致するように構成される。
請求項１４に記載の清掃用具のこのような構成によれば、ハウジングの断面形状と貯留タンクの断面形状とが合致する形状によって、ハウジングと貯留タンクとの一体感が高まる。
【００２４】
更なる形態の清掃用具では、前記の清掃用具における洗浄液供給部は、ハウジングの外表面と貯留タンクの外表面とが同系色とされた構成になっている。ここでいう「同系色」に関しては、同一の色はもちろん、同種の色であれば、本発明における同系色の範疇に含まれる。具体的には、暖色同士、寒色同士、白色と乳白色、透明と半透明などを、互いに同系色として規定することができる。
清掃用具のこのような構成によれば、ハウジングの外表面と貯留タンクの外表面とを同系色とする構成によって、ハウジングと貯留タンクとの一体感を更に高めることが可能となる。
【００２５】
更なる形態の清掃用具では、前記の清掃用具における把持部は、当該把持部の長尺方向に沿って形成される二つの係止部を備える一方、長尺状のハウジングは、当該ハウジングの長尺方向に配設されて各係止部に係止が可能とされた二つの係止フックを備える構成とされる。そして、これら二つの係止フックを各係止部に係止することで、長尺状のハウジングが把持部に装着された状態が形成される構成とされる。なお、ここでいう「係止」に関しては、一方が他方に対し引っ掛かる、或いは嵌まり合う等によって、互いに止着される態様を広く包含する。従って、係止フックが係止される係止部の具体的な構成に関しては、穴、溝、スリットなどが挙げられる。また、二つの係止部は、各々が別個の穴のように独立した構成であってもよいし、或いは単一の穴の縁部によって兼用とされた構成であってもよい。また、本発明の清掃用具は、少なくとも二つの係止部と、少なくとも二つの係止フックを備える構成であればよく、更に別の係止部や係止フックが追加された構成であってもよい。
清掃用具のこのような構成によれば、把持部の長尺方向に沿って形成される二つの係止部を設けることによって、長尺状のハウジングが把持部に装着された状態を安定させることが可能となる。
【００２６】
更なる形態の清掃用具は、前記の清掃用具の構成において、二つの係止部のうちの一方の係止部に係止される第１の係止フックと、他方の係止部に係止される第２の係止フックを備える。そして、他方の係止部における第２の係止フックの係止解除の状態で一方の係止部に第１の係止フックを係止させたのち、当該係止状態を維持しつつ第２の係止フックが他方の係止部に近接する方向に長尺状のハウジングを回動させ、この回動動作によって第２の係止フックが他方の係止部に係止される構成とされる。
清掃用具のこのような構成によれば、一方の係止部に第１の係止フックを係止させて把持部に対する長尺状のハウジングの位置決めを行ったのち、当該係止状態を維持しつつ長尺状のハウジングを回動させることによって、第２の係止フックを他方の係止部に係止させることができるため、長尺状のハウジングを把持部に装着する操作を簡便且つ確実に遂行することが可能となる。
【００２７】
更なる形態の清掃用具では、前記の清掃用具における一方の係止部は、把持部の長尺方向に沿って長手状に形成される長穴として構成され、第１の係止フックは、その先端が長穴の長手方向に沿って突出する構成とされる。そして、第１の係止フックを長穴の長手方向に相対移動させ、この相対移動動作によって当該第１の係止フックが長穴に係止される構成とされる。
清掃用具のこのような構成によれば、第１の係止フックを長穴の長手方向に相対移動させることによって、第１の係止フックを長穴に係止させることができるため、把持部に対する長尺状のハウジングの位置決め操作を簡便且つ確実に遂行することが可能となる。
【００２８】
更なる形態の清掃用具は、前記の清掃用具の構成において、一方の係止部としての長穴は、一端側の縁部にて第１の係止フックを係止するとともに、更に他端側の縁部にて第２の係止フックを係止する構成とされる。すなわち、第２の係止フックを係止する他方の係止部は、一方の係止部としての単一の長穴の縁部を用いて構成される。
清掃用具のこのような構成によれば、単一の長穴の縁部によって二つの係止部を兼用させることができ合理的である。
【００２９】
更なる形態の清掃用具では、前記の清掃用具において、連結部は曲線状に形成される。また、長尺状のハウジングは、供給ノズル側が最低所となるとともに連結部の形状に倣った曲線状となるように構成される。特に、連結部は、清掃体の上部方向に向かって凸状となるように、換言すれば、当該連結部の下方に凹状空間が形成されるような曲線状に形成するのが好ましい。このような構成によれば、連結部の下方に洗浄液供給部を配置する場合に、供給ノズルの配置が容易となるので合理的である。
清掃用具のこのような構成によれば、長尺状のハウジングを連結部の形状に倣った曲線状とすることによって清掃用具の外形内に不要な空間が形成されるのを抑えることでき、清掃用具全体のコンパクト化を図るのに有効である。
【００３０】
更なる形態の清掃用具では、前記の清掃用具における保持部、把持部及び連結部は、いずれも樹脂成型によって構成される。
清掃用具のこのような構成によれば、保持部、把持部及び連結部を、いずれも樹脂成型とすることによって、清掃用具全体の軽量化向上を図ることが可能となる。
【００３１】
更なる形態の清掃用具では、前記の清掃用具における保持部、把持部及び連結部が一体成型された構成とされる。
清掃用具のこのような構成によれば、保持部、把持部及び連結部を一体成型とすることによって、清掃用具の製造に関するコストを抑えることが可能となる。
【発明の効果】
【００３２】
以上のように、本発明によれば、被清掃面の拭き清掃を行うシート状の清掃体を備える清掃用具において、特に被清掃面に向けて直に洗浄液を供給可能な供給ノズルを有する洗浄液供給部を取り付けることによって、清掃効果向上を図ることが可能となった。
【発明を実施するための最良の形態】
【００３３】
以下、本発明の実施の形態を図面を参照しつつ詳細に説明する。まず、図１〜図５を用いて、本発明における「清掃用具」の一実施の形態である清掃用具１０の構成につき説明する。
【００３４】
本実施の形態の清掃用具１０の側面図が図１に示され、図１中の清掃用具１０の平面図が図２に示される。図１及び図２に示すように、清掃用具１０は、互いに組み付けが可能な第１構成体１００及び第２構成体２００に大別される。詳細については後述するが、第１構成体１００は、清掃シート１１０が清掃シート保持体１２０の先端側に取り付けられた構成とされる。
【００３５】
一方、第２構成体２００のハウジング２００ａは、概ね筒状に形成されており、後端側から順に、タンクハウジング２１０、ポンプハウジング２３０、吐出ハウジング２５０に大別される。この第２構成体２００の外郭を形成するハウジング２００ａは、清掃用具１０を用いて清掃作業を行う作業者が手で掴んで操作する操作部分（ハンドル部分）として構成される。詳細については後述するが、ポンプハウジング２３０には、ハウジング下部に設けられた操作ボタン２３２に手動操作に伴って、タンクハウジング２１０内の貯留タンクに貯留された洗浄液を吸入して高圧化し、吐出するポンプ機構が搭載されている。このポンプ機構から吐出された洗浄液は、吐出ハウジング２５０に形成された吐出経路を通じて噴射ノズル２５２から噴射される。ここでいう噴射ノズル２５２が、本発明における「供給ノズル」に相当する。噴射ノズル２５２から噴射される洗浄液として、床面洗浄用の洗剤、つや出しワックスを含む洗剤、芳香剤を含む洗浄液、消臭剤を含む洗浄液のほか、これら各液を水で希釈したもの、或いは水自体などを用いることができる。
【００３６】
本実施の形態において、ハンドル本体１４１の長尺方向の延在線Ｌ１と清掃シート１１０のシート平面に関する法線Ｌ２とが所定の交差角度をもって交差するように構成されている。図１中に示す例では、この交差角度がほぼ９０度となるように構成されている。また、本実施の形態では、保持体本体部１３０と連結部１４１ａ（ハンドル本体１４１）との連接領域が清掃シート１１０の後端（図１中の清掃シート１１０の右端）に概ね合致する構成とされる。また本構成に加えて、保持体本体部１３０、連結部１４１ａ、ハンドル本体１４１の三者が一体固定状として構成されており、これにより本実施の形態の清掃用具１０は、ハンドル本体１４１から連結部１４１ａ介して保持体本体部１３０までの長さが所定の範囲に限られ作業者が片方の手で保持しつつ清掃作業が可能な、いわゆる「ハンディ型」の清掃用具として特定される。
【００３７】
また、本実施の形態において、噴射ノズル２５２は、ハンドル本体１４１の下方であって連結部１４１ａの後方に位置し、更に設置高さ方向に関しては、清掃シート１１０のシート下面よりも上方であって、且つ保持体本体部１３０の延在線Ｌ３と連結部１４１ａの延在線Ｌ４とが交差する高さ領域に位置するように構成されている。更に、本実施の形態では、噴射ノズル２５２の向きが連結部１４１ａの延在線Ｌ４（本発明における連結部の延在方向に相当する）と合致する構成とされる。本発明においてこの噴射ノズル２５２の数、設置位置、向きなどは、必要に応じて適宜変更可能である。例えば、噴射ノズル２５２に相当する供給ノズルを、連結部１４１ａよりも前方に配置する構成や、保持体本体部１３０の先端や後端に設ける構成などを採用することもできる。
【００３８】
また、この第２構成体２００のハウジングの上部には、第１の係止フック２０１及び第２の係止フック２０２が前後方向に直線状に設けられている。これら第１の係止フック２０１及び第２の係止フック２０２は、第１構成体１００の清掃シート保持体１２０に長手状に貫通された長穴（被係合穴）１４２との係合が可能な構成になっている。本構成によって、単一の長穴１４２に第１の係止フック２０１及び第２の係止フック２０２を係止させることによって、第１構成体１００の清掃シート保持体１２０が第２構成体２００側に保持されることとなる。
【００３９】
具体的には、第１の係止フック２０１及び第２の係止フック２０２は、いずれもゴムや樹脂などの弾性材料からなるとともに、第１の係止フック２０１が先端部２０１ａ側へと突出し、第２の係止フック２０２が後端部２０２ａ側へと突出している。また、第１の係止フック２０１の基端部前面と第２の係止フック２０２の基端部背面との間の距離（図１中の距離ｄ２）は、長穴１４２の長手方向の長さ（図２中の距離ｄ１）とほぼ同じか若干大きく、第１の係止フック２０１の先端部２０１ａと第２の係止フック２０２の後端部２０２ａとの間の距離（図１中の距離ｄ３）は、長穴１４２の長手方向の長さ（図２中の距離ｄ１）よりも大きくなるように構成されている。
【００４０】
従って、第１構成体１００の清掃シート保持体１２０を第２構成体２００側に取り付ける場合には、第１の係止フック２０１を長穴１４２の前端１４２ａに係止させ、第２の係止フック２０２を長穴１４２の後端１４２ｂに係止させることによって、第１の係止フック２０１及び第２の係止フック２０２の弾性付勢力が清掃シート保持体１２０の前後方向及び下方に作用し、加締作用によって当該清掃シート保持体１２０を第２構成体２００側に確実に保持することが可能となる。
【００４１】
ここでいう第１の係止フック２０１が、本発明における「係止フック」及び「第１の係止フック」に相当し、第２の係止フック２０２が、本発明における「係止フック」及び「第２の係止フック」に相当する。また、長穴１４２が、本発明における「長穴」に相当し、長穴１４２の前端１４２ａが「係止部」及び「一方の係止部」に相当し、長穴１４２の後端１４２ｂが「係止部」及び「他方の係止部」に相当する。
【００４２】
ここで、上記の第２構成体２００の内部構造を図３を用いて説明する。図３は、本実施の形態の第２構成体２００の内部構造の概要を示す図である。なお、この図３は、操作ボタン２３２が押圧操作されていない初期状態を示している。
【００４３】
図３に示すように、タンクハウジング２１０には、洗浄液を貯留するための貯留タンク２１２、この貯留タンク２１２の洗浄液をポンプハウジング２３０のポンプ機構２４０へと供給する供給用チューブ２１４、貯留タンク２１２を密閉するとともに、後端に空気孔２１７を備えるタンクキャップ２１６、タンクキャップ２１６に取り付けられた弁機構２２０が設けられている。ここでいう貯留タンク２１２が、本発明における「貯留タンク」に相当する。この貯留タンク２１２は、第２構成体２００の外郭を形成するハウジング２００ａ或いはタンクハウジング２１０とともにアセンブリとして一体状に構成される。
【００４４】
また、本実施の形態では、タンクハウジング２１０の外周部分と貯留タンク２１２の外周部分とが面的に連続し、またタンクハウジング２１０の断面形状とタンクハウジング２１０の断面形状が、円或いは楕円形状として概ね合致するように構成されるのが好ましい。更に、本実施の形態では、タンクハウジング２１０の外表面と貯留タンク２１２の外表面とが同系色とされた構成であるのが好ましい。こでいう「同系色」に関しては、同一の色はもちろん、同種の色であれば、ここでいう同系色の範疇に含まれる。具体的には、暖色同士、寒色同士、白色と乳白色、透明と半透明などを、互いに同系色として規定することができる。このような好ましい構成によれば、タンクハウジング２１０と貯留タンク２１２との一体感を高めることが可能となる。
【００４５】
タンクキャップ２１６は、タンクハウジング２１０のハウジング本体との間で螺合式とされており、タンクキャップ２１６をねじ込み方向へと回転させることでハウジング本体に装着が可能とされる一方、ねじ込み方向と反対方向へと回転させることによってハウジング本体からの脱着が可能とされる。なお、タンクキャップ２１６の螺合部分をはじめ、ポンプ機構２４０や噴射ノズル２５２などにおいて洗浄液が流れる部位での連結部分には、洗浄液の漏れ防止用のオーリング（図示省略）が装着されるのが好ましい。このオーリングの材質は、使用する洗浄液の耐液性などに基づいて適宜設定され、典型的にはゴム材料や樹脂材料とすることができる。弁機構２２０は、タンクキャップ２１６の空気孔２１７と連通する連通孔２２１と、この連通孔２２１を開閉可能な弁体２２２を備える。この弁体２２２は、典型的にはシリコン材料やゴム材料によって成型された弁体として構成される。
【００４６】
また、図３に示すように、ポンプハウジング２３０に収容されたポンプ機構２４０は、吸入口２４１、流通路２４２、加圧部材２４３、吐出口２４４、金属製或いは樹脂製の第１ボール体２４５及び第２ボール体２４６、金属製或いは樹脂製のコイルバネ２４７，２４８，２４９を少なくとも備える。このポンプ機構２４０は、操作ボタン２３２の手動操作時における加重によって作動する機械式のポンプ機構であり、「手動式ポンプ」或いは「機械式ポンプ」とも称呼される。このポンプ機構２４０が、本発明における「ポンプ機構」に相当する。
【００４７】
吸入口２４１は、供給用チューブ２１４を通じて供給された洗浄液を流通路２４２へと吸入する部位として構成される。流通路２４２は、吸入口２４１から吸入された洗浄液が流通する流通部分として構成される。加圧部材２４３は、流通路２４２の洗浄液を操作ボタン２３２に押圧操作に伴って加圧（「圧縮」ともいう）するための部材として構成される。吐出口２４４は、加圧部材２４３によって加圧された洗浄液を流通路２４２から吐出する部位として構成される。コイルバネ２４７は、第１ボール体２４５を吸入口２４１の閉鎖方向（図３中の右方向）へと弾性付勢するためのバネ部材として構成される。コイルバネ２４８は、加圧部材２４３を操作ボタン２３２の押圧操作解除方向（図３中の下方向）へと弾性付勢するためのバネ部材として構成される。コイルバネ２４９は、第２ボール体２４６を吐出口２４４の閉鎖方向（図３中の右方向）へと弾性付勢するためのバネ部材として構成される。従って、操作ボタン２３２が押圧操作されていない初期状態では、第１ボール体２４５は、コイルバネ２４７の弾性付勢力にしたがって吸入口２４１を閉鎖する一方、第２ボール体２４６は、コイルバネ２４９の弾性付勢力にしたがって吐出口２４４を閉鎖する。
【００４８】
また、図３に示すように、吐出ハウジング２５０には、吐出口２４４から吐出された洗浄液を、ハウジング先端に取り付けられた噴射ノズル２５２へと誘導する誘導用チューブ２５１を備える。この誘導用チューブ２５１及び前記の供給用チューブ２１４は、柔軟性を有する材料、典型的には、シリコン樹脂、ポリウレタン樹脂（ＰＵ）、ポリエチレン樹脂（ＰＥ）などを用いて構成されるのが好ましい。この誘導用チューブ２５１を通じて噴射ノズル２５２へと誘導された洗浄液は、噴射ノズル２５２内の絞り孔２５３を通じて所望の被清掃部分へと噴射されることとなる。この噴射ノズル２５２内の絞り孔２５３は、斜め前方へ向けて配置されている。
【００４９】
上記のように、貯留タンク２１２、ポンプ機構２４０、噴射ノズル２５２のように、タンクハウジング２１０、ポンプハウジング２３０、吐出ハウジング２５０に収容され或いは取り付けられた各構成部材によって、本発明における「洗浄液供給部」が構成される。
【００５０】
次に、第１構成体１００の詳細な構成を、図４及び図５を参照しながら説明する。図４は、本実施の形態の第１構成体１００の構成を示す斜視図であり、図５は、図４中の清掃シート保持体１２０を保持体本体部１３０とハンドル部１４０に分離した状態を示す斜視図である。
【００５１】
図４に示すように、第１構成体１００は、清掃シート１１０と清掃シート保持体１２０に大別される。
【００５２】
清掃シート１１０は、清掃シート本体１１１の上面に接合シート１１２が接合された構成とされる。また、この清掃シート１１０は、洗浄液をはじめとする液体を吸収する液体吸収機能と、拭き清掃において被清掃面Ｓ上の汚れを掻き取る汚れ掻き取り機能を有するシート状の清掃体として構成されるのが好ましい。清掃シート１１０を構成する清掃シート本体１１１及び接合シート１１２に関しては、典型的には熱溶融性繊維からなる不織布を使用することができる。熱溶融繊維としては、ポリエチレン、ポリプロピレン、ポリエチレンテレフタレート等を使用することができる。不織布としては、エアースルー法、スパンボンド法、スパンレース法等によるものを使用することができる。また、清掃シート１１０を構成する液体吸収機能を有するシートに関しては、典型的には水分を含んで膨潤する性質のある、パルプ、レーヨン、コットン等のセルロース系繊維等を使用することができる。この際、清掃シート本体１１１と熱融着により接合する必要のある場合は、例えば、パルプ繊維と熱溶融繊維とをエアレイド法で積層してなる不織布を使用することができる。また、清掃シート１１０を構成する汚れ掻き取りシートに関しては、典型的にはトウを開繊してなる繊維束や、分割性繊維による不織布を使用することができる。なお、この清掃シート１１０の構成要素の種類や数等に関しては、上記の例に限定されるものではなく、必要に応じて種々選択が可能である。この清掃シート１１０は、長方形状に構成されるとともに、その長辺がハンドル本体１４１（ハウジング２００ａ）の尺方向線上に延在するように配置される。この清掃シート１１０が、本発明における「シート状の清掃体」に相当する。
【００５３】
また、清掃シート本体１１１及び接合シート１１２は、清掃シート１１０の中央部分を前後方向へと長手状に延在する中央溶着線１１３と、この中央溶着線１１３の両側に間隔Ｗ１を空けて平行状に延在する左右一対の側部装着線１１４，１１４にて溶着接合されている。これによって、中央溶着線１１３と各側部装着線１１４との間には、前後方向へと長手状に延在する保持空間１１５が形成されている。この各保持空間１１５は、後側が後方開口端１１５ａにて開口され、前側が前方開口端１１５ｂにて開口された空間として構成される。各保持空間１１５は、後述する保持体本体部１３０の保持板１３２が挿入される空間部分となる。更に、清掃シート本体１１１及び接合シート１１２は、中央溶着線１１３と各側部装着線１１４との間に形成された狭幅溶着線１１６にて溶着接合されている。これにより、各保持空間１１５には、前後方向に関する中央領域において間隔Ｗ２（＜Ｗ１）の狭幅部１１７と、その前後の領域において間隔Ｗ１の広幅部１１８が形成される。
【００５４】
なお、清掃シート１１０は、洗浄液を用いて清掃作業を行う、或いは液体の存在する部位の清掃作業を行う場合と、洗浄液を用いないで清掃作業を行う、或いは乾いた部位の清掃作業を行う場合とで取り替えるのが好ましい。洗浄液を用いて清掃作業を行う、或いは液体の存在する部位の清掃作業を行う場合には、この清掃シート１１０として、被清掃面Ｓに洗浄液や他の液体が存在する湿式条件下において汚れを効果的に落とすのに有効な湿式タイプの清掃シートを用いることができる。一方、洗浄液を用いないで清掃作業を行う、或いは乾いた部位の清掃作業を行う場合には、この清掃シート１１０として、被清掃面Ｓに液体が殆ど存在しない乾式条件下において汚れを効果的に落とすのに有効な乾式タイプの清掃シートを用いることができる。この清掃シート１１０により拭き清掃される被清掃面Ｓとしては、一戸建て、マンション、ビル、工場、車両等の屋内や屋外における被清掃面（床面、壁面、天井面、外壁面、家具面、衣類、カーテン、寝具など）や、人体の各構成部位における被清掃面等が挙げられる。ここでいう被清掃面Ｓが、本発明における「被清掃面」に相当する。
【００５５】
清掃シート保持体１２０は、保持体本体部１３０及びハンドル部１４０からなる。ハンドル部１４０は、長尺状に延在するハンドル本体１４１と、このハンドル本体１４１と保持体本体部１３０との間に介在する連結部１４１ａを備える。このハンドル本体１４１に前記の長穴１４２が設けられている。連結部１４１ａは、ハンドル本体１４１と保持体本体部１３０を固定状に連結する部位であり、この連結部１４１ａが、本発明における「連結部」を構成している。詳細については後述するが、本実施の形態では、樹脂材料にて成型された保持体本体部１３０と、樹脂材料にて成型されたハンドル部１４０（ハンドル本体１４１及び連結部１４１ａ）が、成型後に一体状に組み付けられた構造になっている。本構成によれば、清掃用具全体の軽量化向上を図るとともに、清掃用具の製造に関するコストを抑えることが可能となる。なお、本構成にかえて、保持体本体部１３０及びハンドル部１４０（ハンドル本体１４１及び連結部１４１ａ）を一体成型とする構成や、保持体本体部１３０、ハンドル本体１４１及び連結部１４１ａのいずれか二つを一体成型とする構成を採用したり、或いは各々を独立して成型されたものを固定状に組み付ける構成を採用してもよい。
【００５６】
また、この連結部１４１ａは、保持体本体部１３０側が最低所となるような曲線状に形成されている。本実施の形態では、この連結部１４１ａの形状に倣って、第２構成体２００のハウジング２００ａの形状が構成されている。具体的には、ハウジング２００ａを構成する吐出ハウジング２５０は、噴射ノズル２５２側が最低所となるような曲線状に構成されている（図１参照）。本構成によれば、ハウジング２００ａを連結部１４１ａの形状に倣った曲線状とすることによって清掃用具１０の外形内に不要な空間が形成されるのを抑えることでき、清掃用具１０全体のコンパクト化を図るのに有効である。また、連結部１４１ａは、清掃シート１１０の上部方向に向かって凸状となるように、換言すれば、当該連結部１４１ａの下方に凹状空間が形成されるような曲線状に形成されている。このような構成によれば、連結部１４１ａの下方に洗浄液供給部分を配置する場合に、噴射ノズル２５２の配置が容易となるので合理的である。
【００５７】
保持体本体部１３０は、清掃シート１１０に取り付けられたこの清掃シート１１０を着脱自在に保持する機能を有する部位であり、本発明における「保持部」に相当する。この保持体本体部１３０には、ハンドル部１４０側の基部１３１に左右一対の保持板１３２，１３２、及び押え板１３４が設けられている。左右一対の保持板１３２，１３２は、基部１３１から前方に向けて所定の間隔を空けて平行状に延在する長手状の板部材として構成される。すなわち、保持体本体部１３０は、その先端が二股状に分かれたフォーク形状となっている。各保持板１３２の横幅は、長手方向に関し一定或いは先端に向けて狭幅状に設定される。また、各保持板１３２には、その外側縁部の前後２箇所に突部１３３，１３３が設けられている。各突起１３３は、保持板１３２の外側に向けて突出しており、その突出面が凸曲線形状とされている。押え板１３４は、左右一対の保持板１３２，１３２に間において前方へと延在するとともに、下側に向けて凸形状となるように湾曲して形成される板状部材として構成され、更にその下面に係止突起（図示省略）を備える。
【００５８】
各保持板１３２は、前記の各保持空間１１５に挿入が可能とされており、この挿入状態において清掃シート１１０を保持する機能を有する。また、各保持板１３２は、突起１３３が設けられている部位の横幅が広幅部１１８の間隔Ｗ１に相当する寸法とされており、突起１３３が設けられていない部位の横幅が狭幅部１１７の間隔Ｗ２に相当する寸法とされており、この挿入状態においては、各保持板１３２が各保持空間１１５内に密着状に摺接して嵌まり込み、清掃シート１１０に対し止着作用を付与する。更に、この挿入状態においては、押え板１３４が清掃シート１１０を上方から押えつけるとともに、その下面に設けられた係止突起が清掃シート１１０の抜け止めとして作用する。これにより、各保持板１３２を各保持空間１１５に挿入した挿入状態では、清掃シート１１０が保持体本体部１３０によって確実に保持されることとなる。
【００５９】
また、図５に示すように、上記の保持体本体部１３０及びハンドル部１４０は、各々が樹脂成型後に一体状に組み付けられるように構成されており、また互いに分離可能に構成されている。保持体本体部１３０は、基部１３１の後端側に被嵌合板１３１ａを備える一方、ハンドル部１４０は、ハンドル本体１４１の前端側に第１嵌合板１４３及び第２嵌合板１４４を備える。また、第１嵌合板１４３と第２嵌合板１４４との間には、被嵌合板１３１ａが嵌まり込み可能な嵌合空間１４５が形成されるとともに、この嵌合空間１４５には、第１嵌合板１４３の凹部１３１ｂに係合可能な凸部（図示省略）が設けられている。このような構成において、被嵌合板１３１ａを嵌合空間１４５に嵌め込んだ場合には、この被嵌合板１３１ａを第１嵌合板１４３及び第２嵌合板１４４が上下から挟持し、更に第１嵌合板１４３の凹部１３１ｂに嵌合空間１４５の凸部が係合することで、保持体本体部１３０とハンドル部１４０との間に止着作用が付与される。一方、保持体本体部１３０及びハンドル部１４０が互いに止着された状態において、当該止着力よりも大きい引っ張り力にて両者を離間方向に引っ張ることによって、これら保持体本体部１３０及びハンドル部１４０を分解することが可能となる。
【００６０】
なお、上記清掃用具１０を構成する構成部材の材質に関しては、清掃作業における作業者の操作性等を勘案した場合、軽量の樹脂材料を主体として用いるのが好ましい。例えば、清掃シート保持体１２０、タンクハウジング２１０、ポンプハウジング２３０、操作ボタン２３２、吐出ハウジング２５０、噴射ノズル２５２を、ポリプロピレン樹脂（ＰＰ）、ポリエチレン樹脂（ＰＥ）、アクリロニトリル・ブタジエン・スチレン樹脂（ＡＢＳ）、ポリアセタール樹脂（ＰＯＭ）、ポリアミド樹脂（ＰＡ）、ポリカーボネート樹脂（ＰＣ）等によって構成することができる。
【００６１】
ここで、上記清掃用具１０を構成する第２構成体２００の動作を図６〜図８を用いて説明する。図６は、本実施の形態の清掃用具１０の側面図であって、操作ボタン２３２が押圧操作された場合の第２構成体２００の内部構造をあわせて示す図である。また、図７は、本実施の形態の清掃用具１０の平面図であって、操作ボタン２３２が押圧操作された場合の第２構成体２００の内部構造をあわせて示す図である。また、図８は、本実施の形態の清掃用具１０の側面図であって、操作ボタン２３２が押圧操作解除された直後の第２構成体２００の内部構造をあわせて示す図である。
【００６２】
図６に示すように、作業者によって操作ボタン２３２が手動操作（指による「押圧操作」或いは「引き操作」ともいう）されると、コイルバネ２４８の弾性付勢力に抗して移動する加圧部材２４３によって流通路２４２の洗浄液が加圧される。この操作ボタン２３２は、作業者の指が触る操作ボタンとして構成され、更に操作ボタン２３２とポンプハウジング２３０（ハウジング２００ａ）との間に、作業者の指の侵入を防止する指侵入防止領域を備える構成とされる。指侵入防止領域を備える本構成は、典型的には、操作ボタン２３２のポンプハウジング２３０側に位置する基端の大きさが先端の大きさよりも同じか若干大きくなるように構成し、且つ操作ボタン２３２の基端の外縁部分が先端の外縁部分に向けて概ね直線状に延在するように構成することによって実現される。このような構成によれば、操作ボタン２３２の先端と基端との間に、作業者の手や指が引っ掛かったり入り込んだりして作業に支障をきたすような不要な凹みや空間が形成されないため、作業に支障をきたすのを防止することが可能となる。ここでいう操作ボタン２３２が、本発明における「操作部」及び「操作ボタン」に相当する。なお、この操作ボタン２３２の構成に関し、作業者による手動操作性を考慮した場合、１０［Ｎ］程度の加重によって操作ボタン２３２が作動するように構成するのが好ましい。本構成は、加圧部材２４３を操作ボタン２３２の押圧操作解除方向へと弾性付勢するコイルバネ２４８の弾性付勢力を適宜設定することによって可能となる。
【００６３】
加圧部材２４３による洗浄液の加圧状態では、流通路２４２の圧力が貯留タンク２１２及び誘導用チューブ２５１よりも高圧化される。これにより、第１ボール体２４５は、コイルバネ２４７の弾性付勢力にしたがって吸入口２４１を閉鎖している。また、弁機構２２０に関しては、操作ボタン２３２が押圧操作されている場合には、連通孔２２１は弁体２２２によって閉鎖される。この弁機構２２０は、貯留タンク２１２内に空気を供給することができるが、貯留タンク２１２内の洗浄液が漏れ出すのを防止する機能を有している。従って、この弁機構２２０における構造は、「逆止弁構造」或いは「逆流防止弁構造」とも称呼される。従って、流通路２４２にて加圧された洗浄液は、吐出口２４４から誘導用チューブ２５１へと吐出されこの誘導用チューブ２５１を通じて噴射ノズル２５２へと誘導されて、絞り孔２５３から被清掃面Ｓに向けて噴射される。この場合、操作ボタン２３２の1回の手動操作に対応したほぼ一定量の洗浄液が噴射されることとなる。このときの洗浄液の噴射量は、清掃シート１１０による一回の拭き操作に応じて設定されるのが好ましく、例えば１．０［ｃｃ］程度を目安として噴射量を適宜設定することができる。
絞り孔２５３から噴射されたこの洗浄液は、図６及び図７に示すように、被清掃面Ｓのうち清掃シート保持体１２０の先端側に取付けられた清掃シート１１０下方の噴射領域（「噴霧領域」ともいう）Ｓ１に向けて前斜め下方へと噴射される。
【００６４】
その後、作業者による操作ボタン２３２の押圧操作が解除（「解放」ともいう）されると、加圧部材２４３がコイルバネ２４８の弾性付勢力にしたがって移動することで流通路２４２の圧力が低下する。この状態では、流通路２４２の圧力が貯留タンク２１２及び誘導用チューブ２５１よりも低圧化される。これにより、図８に示すように、第１ボール体２４５は、コイルバネ２４７の弾性付勢力に抗して吸入口２４１の開放方向（図８中の左方向）へと移動して当該吸入口２４１を開放する一方、第２ボール体２４６は、コイルバネ２４９の弾性付勢力にしたがって吐出口２４４の閉鎖方向（図８中の右方向）へと移動して当該吐出口２４４を閉鎖する。また、弁機構２２０に関しては、操作ボタン２３２が押圧操作解除された直後は、弁体２２２が連通孔２２１を開放し、タンクキャップ２１６の空気孔２１７及び連通孔２２１を通じて外部の空気が貯留タンク２１２内へと導入される。従って、貯留タンク２１２内の洗浄液は、噴射された量に相当する量が流通路２４２へと導入され、貯留タンク２１２内には外部から導入された空気による空間が形成されることとなる。そして、操作ボタン２３２が図３に示す初期状態をまで復帰すると、流通路２４２の圧力が貯留タンク２１２及び誘導用チューブ２５１の圧力とほぼ均等になり、連通孔２２１は弁体２２２によって再び閉鎖される。
【００６５】
かくして、被清掃面Ｓの噴射領域Ｓ１に所望量の洗浄液が噴射されることとなる。なお、操作ボタン２３２の上記押圧操作及び押圧解除操作を繰り返すことによって、洗浄液の噴射量が足りない場合などにおける追加の洗浄液噴射が可能となる。その後、作業者は、洗浄液が噴射された噴射領域Ｓ１及びその周辺領域を清掃シート１１０によって拭き取る作業を作業者が行うことによって、被清掃面Ｓに付着した汚れや砂埃などの清掃作業が可能となる。
【００６６】
なお、上記構成の清掃用具１０は、第１構成体１００に第２構成体２００が装着（「組み付け」ともいう）された第１の使用モードと、第１構成体１００から第２構成体２００が脱着（「分離」ともいう）された第２の使用モードに設定可能である。ここで、図９〜図１２を用いて、本実施の形態の清掃用具１０の第１の使用モード及び第２の使用モードについて説明する。図９には、第１構成体１００から第２構成体２００が脱着された状態を側方からみた様子が示される。また、図１０〜図１２には、第１構成体１００に第２構成体２００が装着される過程を側方からみた様子が示される。
【００６７】
本実施の形態の清掃用具１０は、前述の図１〜図８を用いて前述した第１の使用モードと、図９に示すような第２の使用モードに設定可能とされる。第１の使用モードにおいては、第１構成体１００及び第２構成体２００を互いに装着状態として用い、ハンドル本体１４１に装着された第２構成体２００のハウジング２００ａを作業者が把持することによって清掃作業を行うことが可能となる。特に、ハンドル本体１４１とこのハンドル本体１４１に設けられる第２構成体２００のハウジング２００ａとによって、作業者が把持可能な領域を広範囲に確保することが可能となる。一方、第２の使用モードにおいては、第１構成体１００自体を単独で用い、第２構成体２００のハウジング２００ａが脱着されたハンドル本体１４１を作業者が把持することによって清掃作業を行うことが可能となる。この清掃作業に際しては、清掃シート１１０として乾式タイプの清掃シートを用いるのが好ましい。
なお、この場合のハンドル本体１４１が本発明における「把持部」に相当する一方、第２構成体２００のハウジング２００ａは、ハンドル本体１４１に補助的に付加される把持領域を形成するものであり、この第２構成体２００のハウジング２００ａが、本発明における「補助把持部」に相当する。
【００６８】
分離状態の第１構成体１００及び第２構成体２００を互いに組み付ける場合には、まず図１０に示すように、第２構成体２００を第１構成体１００の下方に配置したうえで、第１構成体１００の長穴１４２に第１の係止フック２０１及び第２の係止フック２０２が近接するように第２構成体２００を前斜め上方へと移動させる（第１ステップ）。
そして、図１１に示すように、長穴１４２の後端１４２ｂにおける第２の係止フック２０２の係止解除の状態で長穴１４２の前端１４２ａの縁部にて第１の係止フック２０１を係止させる（第２ステップ）。この係止動作に関しては、第１の係止フック２０１の各部位のうち前方へと突出する先端部２０１ａが、長穴１４２の前端１４２ａの後方から引っ掛かるように、第１構成体１００及び第２構成体２００を相対移動させる。この相対移動動作によって第１の係止フック２０１が、長穴１４２の前端１４２ａの縁部にて係止される。
【００６９】
更に、当該係止状態を維持しつつ第２の係止フック２０２が長穴１４２の後端１４２ｂに近接する方向（図１１中の矢印方向）に第２構成体２００を回動させる（第３ステップ）。第２の係止フック２０２が長穴１４２の後端１４２ｂに近接したとき、長穴１４２の前端１４２ａに第１の係止フック２０１が更に押し付けられるように第２構成体２００を後方から押圧し、第２の係止フック２０２の後端部２０２ａをその弾性付勢力に抗して前方へと押し倒しつつ、当該第２の係止フック２０２を長穴１４２の後端１４２ｂに係合させる（第４ステップ）。このとき図１２に示すように、第２の係止フック２０２の上部が長穴１４２の後端１４２ｂに係合するため、更に図１２中の矢印方向に第２構成体２００を回動させることによって、図１等に示すように第１の係止フック２０１が長穴１４２の前端１４２ａの縁部にて係止され、且つ第２の係止フック２０２が長穴１４２の後端１４２ｂの縁部にて係止された状態が形成される（第５ステップ）。かくして、第１構成体１００及び第２構成体２００を互いに組み付けられることとなる。
【００７０】
反対に第１構成体１００及び第２構成体２００を互いに分離する場合には、上述の第１ステップ〜第５ステップを、分離状態の第１構成体１００及び第２構成体２００を互いに組み付ける場合とは逆の順で遂行することによって、当該分離作業が可能とされる。
【００７１】
以上のように、本実施の形態によれば、噴射ノズル２５２から被清掃面Ｓに向けて洗浄液を供給したうえで、この噴射領域Ｓ１を清掃シート１１０を介して拭き取ることによって、ドライタイプの清掃体では拭き取ることが難しかった、こびりついた汚れや砂埃などを容易に拭き取ることが可能となる。特に、本実施の形態では、被清掃面Ｓに直に洗浄液を供給する構成であり、洗浄液自体が持つ洗浄効果を最大限に引き出して使用することができるため、被清掃面ではなく清掃体自体に洗浄液を供給するような構成の清掃用具に比して、清掃効果向上を図るうえで有利である。
【００７２】
また、本実施の形態によれば、噴射ノズル２５２は、ハンドル本体１４１の下方であって連結部１４１ａの後方に位置し、更に設置高さ方向に関しては、清掃シート１１０のシート下面よりも上方であって、且つ保持体本体部１３０の延在線Ｌ３と連結部１４１ａの延在線Ｌ４とが交差する高さ領域に位置するため、噴射ノズル２５２から被清掃面Ｓへと洗浄液を供給するに際し、当該供給が長尺状のハンドル本体１４１や連結部１４１ａによって阻害されにくく、また作業者は洗浄液の供給部分を後方から確認し易いため、洗浄液の供給操作を円滑に遂行することが可能となる。また、本実施の形態によれば、保持体本体部１３０と連結部１４１ａ（ハンドル本体１４１）との連接領域が清掃シート１１０の後端に概ね合致する構成であるため、噴射ノズル２５２から被清掃面Ｓへと洗浄液を供給するに際し、当該供給が清掃シート１１０によって阻害されにくい。また、被清掃面Ｓに清掃シート１１０が当接した状態において、噴射ノズル２５２が被清掃面Ｓに干渉するのを防止することができ、また被清掃面Ｓに極力近接させることによって洗浄液を被清掃面Ｓの所望の部位に確実且つ速やかに供給することが可能となる。また、噴射ノズル２５２から清掃シート１１０の下方領域に向けて前斜め下方へと洗浄液を供給する構成であるため、噴射ノズル２５２から洗浄液を供給したのち、そのまま清掃シート１１０を下方へと移動させて拭き清掃操作を行うことができるため、洗浄液供給操作から洗浄液供給後における清掃シート１１０の拭き清掃操作までの一連の作業の円滑化を図ることが可能となる。また、噴射ノズル２５２の向きを連結部１４１ａの延在方向と概ね合致させることによって、被清掃面Ｓに対する洗浄液供給操作、及び清掃シート１１０による拭き清掃操作がやり易い構造が実現される。
【００７３】
また、本実施の形態によれば、洗浄液を噴射ノズル２５２へと供給する手段としてポンプ機構２４０を用いることが可能となる。また、ポンプ機構２４０を作動させる操作を作業者の指による操作ボタン２３２の引き操作によって行うことが可能となる。ポンプ機構２４０を作動させるのに作業者の指による引き操作を用いれば、操作ボタン２３２に加重を付与し易い。また、第２構成体２００のハウジング２００ａを把持する把持操作は、指による引き操作の延長線上にあることから、ハウジング２００ａを把持した作業者は指による引き操作を円滑に行うことが可能となる。なお、本構成に関しては、作業者がハウジング２００ａを把持した際、当該作業者の人差し指の腹に相当する部位に操作ボタン２３２が位置するように構成されるのが好ましい。
【００７４】
また、本実施の形態によれば、第１構成体１００及び第２構成体２００を互いに装着状態として用いるウェット条件下での第１の使用モードと、第１構成体１００自体を単独で用いるドライ条件下での第２の使用モードに設定可能であるため、被清掃面Ｓの汚れの種類等の状況に応じて使用モードを使い分けることができ、使い勝手のよい清掃用具を提供することが可能となる。また、第２の使用モードで用いる、ハウジング２００ａがハンドル本体１４１から脱着された状態の清掃用具を最終製品とした場合には、この清掃用具を第１の使用モードで用いる洗浄液供給機能付きの製品に転用することができ合理的である。
【００７５】
また、本実施の形態によれば、ハンドル本体１４１の長尺方向に沿って形成される二つの係止フック２０１，２０２を用いることによって、第２構成体２００のハウジング２００ａがハンドル本体１４１に装着された状態を安定させることが可能となる。また、長穴１４２の前端１４２ａに第１の係止フック２０１を係止させてハンドル本体１４１に対するハウジング２００ａの位置決めを行ったのち、当該係止状態を維持しつつハウジング２００ａを回動させることによって、第２の係止フック２０２を長穴１４２の後端１４２ｂに係止させることができるため、ハウジング２００ａをハンドル本体１４１に装着する操作を簡便且つ確実に遂行することが可能となる。また、第１の係止フック２０１を長穴の長手方向に相対移動させることによって、第１の係止フック２０１を長穴１４２の前端１４２ａに係止させることができるため、ハンドル本体１４１に対するハウジング２００ａの位置決め操作を簡便且つ確実に遂行することが可能となる。また、単一の長穴１４２の縁部によって、第１の係止フック２０１及び第２の係止フック２０２に対する係止部を兼用させることができ合理的である。
【００７６】
また、本実施の形態によれば、雑巾を用いた清掃作業のような煩雑さや、清掃作業における手あれの心配を解消するのに有効である。
また、本実施の形態によれば、清掃シート１１０を使い捨てとすることによって、当該清掃シート１１０を常に衛生的な状態で使用することが可能となる。
【００７７】
（他の実施の形態）
なお、本発明は上記の実施の形態のみに限定されるものではなく、種々の応用や変形が考えられる。例えば、上記実施の形態を応用した次の各形態を実施することもできる。
【００７８】
上記実施の形態では、機械式のポンプ機構２４０によって洗浄液を加圧して加圧状態の洗浄液を噴射ノズル２５２へと吐出する構成について記載したが、本発明では、電動モータの駆動力によって駆動される電動式のポンプを用いた第１の構成、ガス圧を利用して加圧状態の洗浄液を噴供給ノズルへと供給するいわゆる「エアゾール」式の第２の構成、洗浄液をその自重によって供給ノズルから滴下させる第３の構成、清掃用具の外部に配置された洗浄液供給元にて加圧された洗浄液を供給ノズルへと供給する第４の構成などを適宜採用することができる。第４の構成においては、ハウジング内に洗浄液の加圧機構及び貯留機構を有していない清掃用具とされる。
【００７９】
また、上記実施の形態では、ポンプ機構２４０を作動させる操作部として、押圧ボタン式に構成された操作ボタン２３２を採用したが、本発明においては、スライド操作式の操作部を用いることもできる。また、操作ボタン２３２を、ポンプハウジング２３０のハウジング下部以外の部位、例えばハウジング上部やハウジング側部などに配置するように構成してもよい。
【００８０】
また、上記実施の形態において、噴射ノズル２５２から被清掃面Ｓに向けて供給する洗浄液の供給態様を可変とする可変機構を設けるようにしてもよい。具体的には、スイッチ等の切り換えによって供給ノズル内部の絞り孔の断面積が変更され、これによって洗浄液の供給態様、例えば洗浄液の供給量、供給範囲（角度）、供給距離、供給面積などを変えるような構成を採用することができる。このような構成を用いれば、被清掃面Ｓの汚れ度合い等の状況に応じて洗浄液の供給態様を変更することができ、使い勝手のよい清掃用具を提供することが可能となる。
【００８１】
また、上記実施の形態では第２構成体２００のハウジング２００ａ内に専用の貯留タンク２１２を備える構成について記載したが、本発明では、洗浄液が無くなったとき貯留タンクごと新たな貯留タンクに交換が可能なカートリッジ式のタンクを用いることもできる。このカートリッジ式のタンクの具体的な構成としては、硬質樹脂によって成型された貯留容器のほか、パウチシート材料などによって形成されたパウチタイプのボトル、更には洗浄液の貯留残量を視認可能な透明或いは半透明の樹脂材料によって形成された貯留容器などが挙げられる。
【００８２】
また、上記実施の形態では、第１構成体１００及び第２構成体２００互いに装着状態にある第１の使用モードでは、ハンドル本体１４１に係止されたハウジング２００ａが作業者によって把持される把持部を構成する場合について記載したが、本発明においては、第１の使用モードの際にハンドル本体１４１以外の箇所にハウジング２００ａが係止されるように構成することもできる。本構成において、依然としてハウジング２００ａが作業者によって把持される把持部を構成してもよいし、或いはハンドル本体１４１が作業者によって把持される把持部を構成してもよい。
【００８３】
また、上記実施の形態では、係止部としての単一の長穴１４２に対し、第１の係止フック２０１及び第２の係止フック２０２が係止される構成について記載したが、本発明においては、係止部や係止フックの数、係止態様、係止構造については必要に応じて適宜変更可能である。本発明においては、長穴１４２にかえて二つの穴を設け、一方の穴に第１の係止フック２０１を係止させ、他方の穴に第２の係止フック２０２を係止させる構成を用いるようにしてもよい。また、係止態様に関しては、一方が他方に対し引っ掛かる、或いは嵌まり合う等の係止態様を適宜採用することができる。また、係止部の構造に関しては、穴、溝、スリットなどを適宜採用することができる。
【００８４】
また、上記実施の形態では、清掃シート保持体１２０は一体成型とされており、保持体本体部１３０とハンドル部１４０との間の連接箇所は相対移動が不能とされた構造となっているが、本発明では、この連接箇所での相対移動が一時的に可能とされた可動構造を採用することもできる。具体的には、保持体本体部１３０とハンドル部１４０との間の連接箇所にヒンジ機構及び固定機構を設け、清掃用具１０の使用前後においては、保持体本体部１３０とハンドル部１４０との間の角度がヒンジ機構によって一旦調節可能とされ、清掃用具１０の使用時においては、当該角度が固定機構によって所定の角度に固定可能或いは保持可能とされる構成を採用することができる。
【図面の簡単な説明】
【００８５】
【図１】本実施の形態の清掃用具１０の側面図である。
【図２】図１中の清掃用具１０の平面図である。
【図３】本実施の形態の第２構成体２００の内部構造の概要を示す図である。
【図４】本実施の形態の第１構成体１００の構成を示す斜視図である。
【図５】図４中の清掃シート保持体１２０を保持体本体部１３０とハンドル部１４０に分離した状態を示す斜視図である。
【図６】本実施の形態の清掃用具１０の側面図であって、操作ボタン２３２が押圧操作された場合の第２構成体２００の内部構造をあわせて示す図である。
【図７】本実施の形態の清掃用具１０の平面図であって、操作ボタン２３２が押圧操作された場合の第２構成体２００の内部構造をあわせて示す図である。
【図８】本実施の形態の清掃用具１０の側面図であって、操作ボタン２３２が押圧操作解除された直後の第２構成体２００の内部構造をあわせて示す図である。
【図９】第１構成体１００から第２構成体２００が脱着された状態を側方からみた様子を示す図である。
【図１０】第１構成体１００に第２構成体２００が装着される過程を側方からみた様子を示す図である。
【図１１】第１構成体１００に第２構成体２００が装着される過程を側方からみた様子を示す図である。
【図１２】第１構成体１００に第２構成体２００が装着される過程を側方からみた様子を示す図である。
【符号の説明】
【００８６】
１０…清掃用具
１００…第１構成体
１１０…清掃シート
１１１…清掃シート本体
１１２…接合シート
１１３…中央溶着線
１１４…側部溶着線
１１５…保持空間
１１５ａ…後方開口端
１１５ｂ…前方開口端
１１６…狭幅溶着線
１１７…狭幅空間部
１１８…広幅空間部
１２０…清掃シート保持体
１３０…保持体本体部
１３１…基部
１３１ａ…被嵌合板
１３１ｂ…凹部
１３２…保持板
１３３…突部
１３４…押え板
１４０…ハンドル部
１４１…ハンドル本体
１４１ａ…連結部
１４２…長穴
１４２ａ…前端
１４２ｂ…後端
１４３…第１嵌合板
１４４…第２嵌合板
１４５…嵌合空間
２００…第２構成体
２００ａ…ハウジング
２０１…第１の係止フック
２０１ａ…先端部
２０２…第２の係止フック
２０２ａ…後端部
２１０…タンクハウジング
２１２…貯留タンク
２１４…供給用チューブ
２１６…タンクキャップ
２１７…空気孔
２２０…弁機構
２２１…連通孔
２２２…弁体
２３０…ポンプハウジング
２３２…操作ボタン
２４０…ポンプ機構
２４１…吸入口
２４２…流通路
２４３…加圧部材
２４４…吐出口
２４５…第１ボール体
２４６…第２ボール体
２４７，２４８，２４９…コイルバネ
２５０…吐出ハウジング
２５１…誘導用チューブ
２５２…噴射ノズル
２５３…絞り孔
Ｓ…被清掃面
Ｓ１…噴射領域
【図１】
0004726620.tif 000002
【図２】
0004726620.tif 000003
【図３】
0004726620.tif 000004
【図４】
0004726620.tif 000005
【図５】
0004726620.tif 000006
【図６】
0004726620.tif 000007
【図７】
0004726620.tif 000008
【図８】
0004726620.tif 000009
【図９】
0004726620.tif 000010
【図１０】
0004726620.tif 000011
【図１１】
0004726620.tif 000012
【図１２】
0004726620.tif 000013